(57)【要約】【課題】  室内の商用電源から窓、扉等の開閉体とこの開閉体が閉じるときに対向する枠体の如き対向面との間の隙間を通して低電圧で電力損失を伴うことなく屋外等に低電圧電源を導いて屋外等で低電圧駆動負荷を駆動することができること。【解決手段】  室内の商用電源の電圧を降圧する電磁トランス２０Ｔと、この電磁トランス２０Ｔの電力を屋外等に給電するテープ状の可撓性薄膜フラットケーブル３４とを備え、可撓性薄膜フラットケーブル３４は、室内と屋外等との間を開閉する開閉体５０とその枠体５２との間の隙間を通して敷設される。【選択図】図２
2007209191.tif 000002
【特許請求の範囲】
【請求項１】
建造物の室内の商用電源の電圧を降圧する降圧手段と、前記降圧手段の電力を前記建造物の他の室内又は屋外（以下屋外等と称する）に給電する給電手段とを備え、前記給電手段は、前記室内と屋外等との間を開閉する開閉体と前記開閉体が閉じたときに対向する対向面との間の隙間を通ることができる隙間貫通部分を有し、前記隙間貫通部分の屋外等側の端部が屋外等に導出し、前記隙間貫通部分は、可撓性扁平部であることを特徴とする電源装置。
【請求項２】
建造物の室内の商用電源の電圧を降圧する降圧手段と、前記降圧手段の電力を前記建造物の他の室内又は屋外（以下屋外等と称する）に給電する給電手段とを備え、前記給電手段は、前記室内と屋外等との間を開閉する開閉体と前記開閉体が閉じたときに対向する対向面との間の隙間を通ることができる隙間貫通部分を有し、前記隙間貫通部分は、可撓性扁平部であり、前記隙間貫通部分の屋外等側の端部にコネクタを有することを特徴とする電源装置。
【請求項３】
建造物の室内の商用電源の電圧を降圧する降圧手段と、前記降圧手段の電力を前記建造物の他の室内又は屋外（以下屋外等と称する）に給電する給電手段とを備え、前記給電手段は、前記室内と屋外等との間を開閉する開閉体と前記開閉体が閉じたときに対向する対向面との間の隙間を通ることができる隙間貫通部分を有し、前記隙間貫通部分は、可撓性扁平部であり、前記隙間貫通部分の屋外等側の端部が屋外等で使用されるべき負荷に接続されていることを特徴とする電源装置。
【請求項４】
請求項１乃至３のいずれかに記載の電源装置であって、前記降圧手段は、絶縁降圧手段であることを特徴とする電源装置。
【請求項５】
請求項１乃至４のいずれかに記載の電源装置であって、前記降圧手段の二次側に整流器が接続されていることを特徴とする電源装置。
【請求項６】
請求項１乃至５のいずれかに記載の電源装置であって、前記隙間貫通部分は、前記開閉体と前記対向面との間の貫通部分にほぼ相応する長さを少なくとも有することを特徴とする電源装置。
【請求項７】
請求項２に記載の電源装置であって、前記隙間貫通部分の両端と前記降圧手段及びコネクタとの間はそれぞれ給電コードによって接続されていることを特徴とする電源装置。
【請求項８】
請求項１乃至７のいずれかに記載の電源装置であって、前記降圧手段の一次側給電コードにスイッチを有することを特徴とする電源装置。
【請求項９】
請求項１乃至８のいずれかに記載の電源装置であって、前記可撓性扁平部は、少なくとも２導体を有する可撓性薄膜フラットケーブルであることを特徴とする電源装置。
【請求項１０】
請求項１乃至９のいずれかに記載の電源装置であって、前記可撓性扁平部は、２つの端子の間に電気的、機械的に接続されて相互に独立して延びる少なくとも２つのフラット絶縁導体から成っていることを特徴とする電源装置。
【請求項１１】
請求項１乃至１０のいずれかに記載の電源装置であって、前記給電手段の少なくとも室外に露出する部分に耐候性処理が施されていることを特徴とする電源装置。
【請求項１２】
請求項１乃至１１のいずれかに記載の電源装置であって、前記降圧手段は、異常保護機能を有することを特徴とする電源装置。
【発明の詳細な説明】
【技術分野】
【０００１】
本発明は、例えば、家屋、コンクリート建物等の建造物の内部の商用電源のコンセント
から建造物の壁等に孔を開けることなく、扉、窓の如き開閉体とこの開閉体が閉じたときに対向する枠体の如き対向面との間の隙間を通して降圧電源を給電する電源装置に関するものである。
【背景技術】
【０００２】
家屋、コンクリート建物等の建造物内の商用電源を利用して屋外又は同じ建造物内の通常では電源コンセントを有しない室内で種々の低電圧駆動負荷を駆動することが要求される。これらの負荷としては、例えば、屋外や風呂場等で使用されるノートパソコン、携帯テレビ、携帯オーディオ機器、イルミネーション、照明装置、街路灯等が考えられる。
【０００３】
１つの従来技術では、窓ガラスの内外に電磁的に結合する一次側と二次側との電磁結合手段から成り、一次側を１００Ｖの商用電源で励磁し、二次側で１００Ｖ電圧を得て屋外で負荷を駆動するようにしているが、この場合、二次側に更にアダプターを接続することが必要となる。
【０００４】
しかし、最近の窓ガラスは、二重ガラスの形態を有しているため、一次側と二次側との電磁結合の精度が低く、電力損失が大きくなる上に、全体的に高価となる欠点があった。
【０００５】
最近、建物の壁に孔を開けることなく、また窓の開閉に支障をきたすことなく窓と窓枠との間の隙間を通してＢＳアンテナとＢＳチューナとの間をフラットケーブル（隙間ケーブル）で接続することが提案されている（特許文献１乃至３参照）。
【０００６】
この原理を用いて商用電源と屋外負荷との間をフラットケーブル（隙間ケーブル）で接続することが考えられるが、このような給電方式は、窓の貫通部分で漏電時の危険が大きく、実用上採用することができない。
【０００７】
【特許文献１】実開平２−３４０２５号公報
【特許文献２】実開平６−５０１６９号公報
【特許文献３】特開平８−２０３３５０号公報
【発明の開示】
【発明が解決しようとする課題】
【０００８】
本発明が解決しようとする課題は、漏電時の危険を少なくし、建造物内の商用電源で屋外又は同じ建造物内の他の室内の負荷を低電圧駆動することができるようにした電源装置を提供することにある。
【課題を解決するための手段】
【０００９】
本発明の第１の基本的な課題解決手段は、建造物の室内の商用電源の電圧を降圧する降圧手段と、この降圧手段の電力を建造物の他の室内又は屋外（以下屋外等と称する）に給電する給電手段とを備え、この給電手段は、室内と屋外等との間を開閉する開閉体とこの開閉体が閉じたときに対向する対向面との間の隙間を通ることができる隙間貫通部分を有し、この隙間貫通部分の屋外等側の端部が屋外等に導出し、隙間貫通部分は、可撓性扁平部であることを特徴とする電源装置を提供することにある。
【００１０】
本発明の第２の基本的な課題解決手段は、建造物の室内の商用電源の電圧を降圧する降圧手段と、この降圧手段の電力を建造物の他の室内又は屋外（以下屋外等と称する）に給電する給電手段とを備え、この給電手段は、室内と屋外等との間を開閉する開閉体とこの開閉体が閉じたときに対向する対向面との間の隙間を通ることができる隙間貫通部分を有し、この隙間貫通部分の屋外等側の端部にコネクタを有し、隙間貫通部分は、可撓性扁平部であることを特徴とする電源装置を提供することにある。
【００１１】
本発明の第３の基本的な課題解決手段は、建造物の室内の商用電源の電圧を降圧する降圧手段と、この降圧手段の電力を建造物の他の室内又は屋外（以下屋外等と称する）に給電する給電手段とを備え、この給電手段は、室内と屋外等との間を開閉する開閉体とこの開閉体が閉じたときに対向する対向面との間の隙間を通ることができる隙間貫通部分を有し、隙間貫通部分は、可撓性扁平部であり、この隙間貫通部分の屋外等側の端部が屋外等で使用されるべき負荷に接続されていることを特徴とする電源装を提供することにある。
【００１２】
本発明の課題解決手段において、隙間貫通部分は、開閉体と対向面との間の貫通部分にほぼ相応する長さを少なくとも有するのが好ましく、降圧手段は、絶縁降圧手段であるのが好ましい。低電圧駆動負荷が直流駆動負荷である場合には、降圧手段の二次側に整流器が接続されている形態とする。
【００１３】
隙間貫通部分の両端と降圧手段及びコネクタとの間はそれぞれ給電コードによって接続  
され、また降圧手段の一次側給電コードにスイッチを有するのが好ましい。
【００１４】
可撓性扁平部は、少なくとも２導体を有する可撓性薄膜フラットケーブルであるか、２つの端子の間に電気的、機械的に接続されて相互に独立して延びる少なくとも２つのフラット絶縁導体から成っている形態とすることができる。
【００１５】
給電手段の少なくとも室外に露出する部分に耐候性処理が施されており、降圧手段は、
異常保護機能を有するのが望ましい。
【発明の効果】
【００１６】
本発明によれば、上記のように、室内の商用電源を降圧手段によって降圧した後、窓、扉の如き開閉体とこの開閉体が閉じるときに対向する枠体の如き対向面との間の隙間を貫通する隙間貫通部分を有する給電手段を介して屋外等で誘導してこの降圧手段の出力を低電圧電源として低電圧駆動負荷に給電するので、この低電圧電源を使用して屋外等で種々の低電圧駆動負荷を駆動することができる。
【００１７】
また、給電手段の隙間貫通部分は、降圧手段によって降圧された低電圧部分であるので、この部分での漏電時の危険が少なく、低電圧駆動負荷を屋外等で安全に駆動することができる。
【００１８】
給電手段の隙間貫通部分は、幅広薄膜導体層を含む可撓性薄膜フラットケーブル又は並
列接続された可撓性フラット絶縁導体から成っていると、低電圧によって高くなる高電流を低い抵抗で通電するので、電力の損失を少なくして高い効率で給電することができる。
【００１９】
更に、この隙間貫通部分が可撓性を有する薄膜扁平ケーブル又は並列接続された２つの可撓性フラット絶縁導体から成っていると、窓、扉等の開閉体とその対向面との間の隙間に容易に追従して貫通することができ、電源装置の据付けを高い作業効率で行うことができる。
【００２０】
可撓性扁平部が開閉体とその対向面との貫通部分にほぼ相応する長さを少なくとも有すると、この給電手段の費用を最小限にして装置を安価に提供することができる。
【発明を実施するための最良の形態】
【００２１】
本発明の幾つかの実施形態による電源装置を添付の図面を参照して以下に詳細に述べる。図１は、本発明に係わる電源装置１０の概略系統を示し、同図に示すように、本発明の電源装置１０は、基本的には、家屋、ビルディング、マンション等の建造物ＢＬの室内の商用電源（電源コンセント１２）から給電されて商用電源の電圧(１００Ｖ)を適宜の低電圧、例えば、１２Ｖに降圧する降圧手段２０と、この降圧手段２０の電力を建造物ＢＬの他の室内又は屋外（以下屋外等と称する）に給電する給電手段３０とを備えている。
【００２２】
給電手段３０は、室内と屋外等との間を開閉する扉、窓の如き開閉体５０（図５参照）とこの開閉体５０が閉じるときに対向する枠体５２の壁面の如き対向面との間の隙間Ｇを通ることができる隙間貫通部分３２を有する。図１は、建造物ＢＬの部屋ＢＬＲから図示しない窓とそのサッシ状の枠体５２との隙間を貫通する給電手段３０を介して屋外ＯＤに給電するのが示されているが、建造物ＢＬ内の仕切られた空間（例えば、脱衣室と風呂場、部屋と押入れ）の間にあって開閉する開閉体と枠体の如き対向面との間を貫通する給電手段３０を介して給電することもできる。
【００２３】
降圧手段２０によって得られた低電圧出力は、屋外ＯＤで適宜の低電圧駆動負荷６０を駆動することができ、図１では、この負荷６０としては、例えば、電灯、インターホン、街路灯、種々のガーデニング用品、防犯カメラ、防犯ライト等の防犯用品、熱帯魚用等の水中ポンプ、水中照明具等のアクア用品、種々のオーディオ機器、ペット暖房、空調用等のペット用品、雪融解用等のヒータ、カークリーナに類した１２Ｖ対応クリーナ等の清掃用品、カー用品、イルミネーション等を掲げることができる。
【００２４】
本発明の具体的な実施の形態が図２に示されており、降圧手段２０は、電磁トランス２０Ｔから成っており、この電磁トランス２０Ｔの一次側からは給電コード２２が延び、この給電コード２２は、その先端に、電源コンセント１２（図１参照）に差し込んで商用電源に接続される電源プラグ２４を有する。図示の形態では、給電コード２２は、その途中に、電源装置１０を電気的に開閉するスイッチ２６を有する。
【００２５】
給電手段３０の隙間貫通部分３２と電磁トランス２０Ｔの二次側との間には給電コード３６Ｉが延びており、また隙間貫通部分３２の反対側には給電コード３６Ｏが延びており、この給電コード３６Ｏの先端には、負荷に接続されるべき雌型コネクタ４４を有する。このコネクタ４４は、防水性キャップ４４Ｃを有し、負荷を駆動する際には、防水性キャップ４４Ｃを開いて負荷のプラグをコネクタ４４に差し込んで負荷を電源装置１０に接続する。
【００２６】
降圧手段２０は、絶縁性を有するものであるのが好ましく、即ち、電磁トランス２０Ｔは、所謂絶縁トランスであるのが好ましい。また、電磁トランス２０Ｔは、過負荷等による温度上昇の如き異常発生時に電源を自動的に遮断するために、バイメタル式その他の任意の形態の異常保護機能を搭載した形態のものであるのが好ましい。
【００２７】
低電圧駆動負荷６０が直流駆動負荷である場合には、図３に示すように、全波整流器２  
８Ｒと平滑用コンデンサ２８Ｃとが降圧手段である電磁トランス２０Tの二次側に接続される。従って、電磁トランス２０Ｔと全波整流器２８Ｒとコンデンサ２８Ｃは、ＡＣ−ＤＣアダプターを構成することになる。コンデンサ２８Ｃは、以下に述べる給電手段３０に接続される。
【００２８】
給電手段３０の隙間貫通部分３２は、薄膜導体層を含む可撓性扁平部３２Ｆから成り、図示の形態では、この隙間貫通部分３２Ｆは、平行して間隔をあけて並べられた３導体以上の複数の薄膜導体層を一体に含むテープ状の多芯可撓性薄膜フラットケーブル３４から成っている。この可撓性薄膜フラットケーブル３４は、図４（Ａ）（Ｂ）に示すように、絶縁フィルム３４Ｕ、３４Ｌの間に多数の導体箔３４Ｃが並列して挟まれた形態を有する。これらの導体箔３４Ｃは、可撓性を保持するために可及的に薄膜であるのが好ましい。
【００２９】
また、この隙間貫通部分３２は、多芯ではなく、図４（Ｃ）に示すように、薄いが抵抗  
値を低くするために幅広の２芯薄膜導体層（導体箔３４Ｃ）を有する２芯可撓性薄膜フラットケーブル３４であってもよい。なお、本明細書において、「幅広」とは、導体層の肉厚に対して著しく大きな幅を有するものを意味するが、この幅は、所定の電圧―電流特性を得るのに必要な低い抵抗値を保持するために要求される断面積を所要の肉厚で割って求められる。
【００３０】
１つの例では、可撓性薄膜フラットケーブル３４の仕上がり厚みは、３ｍｍ以下、好ましくは、１ｍｍ以下、最も好ましくは、０．３ｍｍ以下である。従って、絶縁フィルムの材質、厚み、幅及び導体箔の材質、厚み、幅は、これらの仕上がり厚みと所定の抵抗値に相応して設定される。
【００３１】
この可撓性薄膜フラットケーブル３４は、図５に示すように、窓等の開閉体５０とその枠体（窓枠）５２との間の屈曲した隙間G内を潜り抜けて貫通することができる。なお、図４に示すように、可撓性薄膜フラットケーブル３４の導体露出端子３４Ｔの下側は、補強テープ３４Ｒによって補強されているのが好ましい。
【００３２】
図５に示すように、可撓性薄膜フラットケーブル３４、即ち可撓性扁平部３２Ｆは、開閉体５０とその枠体５２との貫通部分（蛇行する隙間）にほぼ相応する長さを少なくとも有するのが好ましく、この可撓性扁平部３２Ｆの両端と降圧手段２０及び昇圧手段４０との間は給電コード３６Ｉ、３６Ｏによって接続されている。
【００３３】
図５に示すように、実際上、可撓性扁平部３２Ｆの長さは、開閉体５０とその枠体５２との貫通部分に相応する長さに給電コード３６Ｉ、３６Ｏを接続するのに必要な接続代である追加の長さを付加した長さに設定されるのが好ましい。
【００３４】
可撓性薄膜フラットケーブル３４の導体露出端子３４Ｔと給電コード３６Ｉ、３６Ｏとは、半田付けによって接続するか、差込式のコネクタによって接続することができ、前者の場合は、この半田付け接続部分を絶縁被覆することが必要である。
【００３５】
可撓性扁平部３２Ｆ、即ち、可撓性薄膜フラットケーブル３４は、少なくとも室外に露出する部分に耐候性処理が施されているのが好ましいが、実際の製造上は、全長に亘って耐候性処理が施される。これは、可撓性薄膜フラットケーブル３４が屋外で紫外線等によって劣化したり、浸水したりするのを防止するために必要である。
【００３６】
本発明の電源装置１０は、例えば、図５に示すように、可撓性薄膜フラットケーブル３４を窓等の開閉体５０の枠体５２の凹凸内面５２Ｓに沿って敷設して室内外に貫通させるが、可撓性薄膜フラットケーブル３４と給電コード３６Ｉ、３６Ｏとの接続部３５は、例えば、建造物ＢＬの壁ＢＬＷに固定されたホルダー３６Ｈによって保持して固定することができるが、これは、必ずしも固定する必要はない。
【００３７】
可撓性薄膜フラットケーブル３４と給電コード３６Ｉ、３６Ｏとの接続部３５及びホルダー３６Ｈの具体例が図６に示されている。この具体例では、図６に示すように、可撓性薄膜フラットケーブル３４の導体露出端子３４Ｔと給電コード３６Ｉ、３６Ｏの導体３６Ｃとを半田付けその他の適宜な方法で電気的に接続した状態でこの接続部３５をインサートするようにして導体露出端子３４Ｔと給電コード３６Ｉ、３６Ｏの先端とを一体化するコネクタ３５Ｃをプラスティックで成形し、一方ホルダー３６Ｈは、剥離紙３６Ｒを剥がして露出する接着面を建造物ＢＬの開閉体の枠体等の適宜の壁板に加圧接着される基板３６Ｂとこの基板３６Ｂに設けられた弾性爪３６Ｐとから成っており、コネクタ３５Ｃは、その首部３５Ｎをホルダー３６Ｈの弾性爪３６Ｐに弾性的に抱止めしてホルダー３６Ｈに保持される。
【００３８】
可撓性薄膜フラットケーブル３４が壁ＢＬＷにホルダー３６Ｈによって保持されて電源装置１０が固定的に敷設される場合には、開閉体５０の開閉の都度、開閉体５０が可撓性薄膜フラットケーブル３４に衝突すると、ケーブル被覆が次第に破損する虞があるので、可撓性薄膜フラットケーブル３４は、開閉体５０が２枚開き窓（扉）である場合には、開閉が頻繁に行われない側の窓板（扉板）側の枠体５２の部分に敷設するのが好ましい。もちろん、例えば、屋外負荷が恒常的に使用されるものではなく、使用後電源から取り外す場合のように、電源装置１０を建造物に固定する必要がない場合には、電源装置１０は、ホルダー３６Ｈによって固定する必要はなく、工具による作業が終了した後、電源装置１０から工具を取り外し、電源コンセント１２から電源プラグ２４を外して適宜保管することができる。
【００３９】
このように、室内の商用電源(１００Ｖ)を降圧手段２０によって１２Ｖの如き低電圧に降圧した後、窓、扉の如き開閉体５０とその枠体５２との間の隙間を貫通する隙間貫通部分３２を有する給電手段３０を介して屋外等に低電圧電源を導くと、屋外等でこの低電圧電源を使用して種々の負荷を駆動することができるが、給電手段３０の隙間貫通部分３２は、降圧手段２０の二次側にあって１２Ｖの如き低電圧部分であるので、この部分での漏電時の危険が少なく、屋外等の負荷６０を安全に駆動することができる。
【００４０】
この隙間貫通部分３２は、可撓性薄膜フラットケーブル３４の如き薄膜導体層を含む可
撓性扁平部３２Ｆから成っているので、低電圧によって高くなる高電流を低い抵抗で通電することができ、従って電力の損失を少なくして高い効率で給電することができることが解る。
【００４１】
また、この隙間貫通部分３２が可撓性薄膜フラットケーブル３４の如き可撓性扁平部３２Ｆから成っていると、窓、扉等の開閉体５０と枠体５２との間の隙間に追従して貫通することができ、電源装置１０の据付を容易に行うことができる。
【００４２】
上記の実施の形態では、降圧手段２０は、電磁トランス以外に、圧電トランスでもよいし、図７に示すように、ＡＣ−ＤＣコンバーター２０Ｃであってもよく、またＡＣ−ＡＣコンバーターであってもよい。
【００４３】
また、上記実施の形態では、給電手段３０の可撓性扁平部３２Ｆは、テープ状の可撓性薄膜フラットケーブル３４から成っているが、この可撓性扁平部３２Ｆは、図８に示すように、降圧手段２０側の端子３８ＴＨと昇圧手段４０側の端子３８ＴＬとの間に電気的、機械的に接続された独立した多数の可撓性フラット絶縁導体３８Ｃ（図８（Ａ）参照）または２つの可撓性フラット絶縁導体３８Ｃ（図８（Ｂ）参照）から成っていてもよい。可撓性フラット絶縁導体３８Ｃは、例えば、図４に示す多芯または２芯薄膜フラットケーブル３４に代えて１導体薄膜フラットケーブルとしたものを使用することができる。
【００４４】
なお、給電手段３０は、開閉体５０やその枠体５２を孔開け等の加工をすることなく、また開閉体５０が枠体５２に対して隙間を拡大することなく閉じることができれば、上記の形態の２導体または多導体可撓性扁平部３２Ｆに限定されない
【００４５】
本発明の他の実施の形態が図９に示されている。この実施の形態では、図１、図２、図７に示すように、給電手段３０にコネクタ４４が接続されていないで、図９（Ａ）に示すように、屋外等側の給電コード３６Ｏの先端が裸のまま終わっていたり、図９（Ｂ）に示すように、可撓性薄膜フラットケーブル３４の導体露出フラット端子３４Ｔで終わっていたりして、この状態で需用者に提供するようにしている。需用者は、この形態の電源装置１０を利用して図９（Ａ）の給電コード３６Ｏの裸の端部に適宜の低電圧駆動負荷を接続したり、図９（Ｂ）の導体露出端子３４Ｔに適宜の低電圧駆動負荷を接続したりしてこれらの負荷を駆動することができる。後者の場合、負荷側にある多芯フラットコネクタに導体露出フラット端子３４Ｔを差し込み接続することができるが、接続形態は適宜選択することができる。なお、安全性を考慮すると、導体露出フラット端子（雄端子）に着脱自在に差し込むべき雌フラット端子を有する図示しないアダプタを図９（Ｂ）の電源装置１０に組み合わせて提供し、このアダプタの反対側の雌フラット端子に負荷の雄フラット端子を差し込み接続するようにするのが好ましい。
【００４６】
本発明の更に他の実施の形態が図１０に示されている。この実施の形態では、同様にして、給電手段３０にコネクタ４４が接続されていないで、図１０に示すように、給電コード３６Ｏに装飾灯６０Ｌの如き負荷６０が直接接続された状態で需用者に提供される。
【産業上の利用可能性】
【００４７】
本発明によれば、室内の商用電源を降圧した後、窓、扉の如き開閉体とその枠体との
間の隙間を貫通する隙間貫通部分を有する給電手段を介して屋外等に低電圧電源を導くので、この低電圧電源を使用して屋外等で種々の低電圧駆動負荷を駆動することができ、また隙間貫通部分は、降圧手段の二次側の低電圧部分であるので、漏電時の危険が少なく、更にこの隙間貫通部分は、薄膜導体層を有する可撓性扁平部から成っているため低電圧によって高くなる高電流を低い抵抗で通電することができるので、電力の損失を少なくして高い効率で給電することができ、産業上の利用性が向上する。
【図面の簡単な説明】
【００４８】
【図１】本発明に係る電源装置の概略系統図である。
【図２】本発明の１つの実施形態による電源装置の上面図である。
【図３】本発明の電源装置の降圧手段の二次側に整流器と平滑用コンデンサとを接続した状態の回路図である。
【図４】図２の実施の形態で使用されるテープ状の可撓性薄膜フラットケーブルの端部付近を示し、同図（Ａ）は、その上面図、同図（Ｂ）は、その側面図である。
【図５】図１の電源装置の給電部分の敷設状態の水平断面図である。
【図６】本発明に用いられる隙間貫通部分の両端の接続部とホルダーとの１つの具体例を示し、同図（Ａ）は、その斜視図、同図（Ｂ）は、コネクタの説明図である。
【図７】本発明の他の実施の形態の概略系統図である。
【図８】本発明の更に他の実施の形態に用いられる給電手段の２つの例を示す正面図である。
【図９】給電手段の出力側端部を変形した本発明の更に他の実施の形態の２つの例を示す上面図である。
【図１０】給電手段の出力側端部に負荷を直接接続した本発明の更に他の実施の形態の上面図である。
【符号の説明】
【００４９】
１０  電源装置
１２  電源コンセント１２
２０  降圧手段
２０Ｔ  電磁トランス
２０Ｃ  ＡＣ−ＤＣコンバーター
２２  給電コード
２６  スイッチ
２８  全波整流器
３０  給電手段
３２  隙間貫通部分
３２Ｆ  可撓性扁平部
３４  可撓性薄膜フラットケーブル
３４Ｕ、３４Ｌ  絶縁フィルム
３４Ｆ  導体箔
３４Ｔ  導体露出端子
３４Ｒ  補強部
３５  接続部
３５Ｃ  コネクタ
３５Ｎ  首部
３６Ｉ、３６Ｏ  給電コード
３６Ｈ  ホルダー
３６Ｃ  導体
３６Ｂ  基板
３６Ｒ  剥離紙
３６Ｐ  弾性爪
３８ＴＨ、３８ＴＬ  端子
３８Ｃ  可撓性フラット絶縁導体
４４  雌型コネクタ
４４Ｃ  防水性キャップ
５０  扉、窓の如き開閉体
５０Ｗ  窓
５２  枠体
５２Ｓ  凹凸内面
６０  負荷
６０Ｌ  装飾灯
ＢＬ  建造物
ＢＬＲ  部屋
ＢＬＷ  壁
ＯＤ  屋外
【図１】
2007209191.tif 000003
【図２】
2007209191.tif 000004
【図３】
2007209191.tif 000005
【図４】
2007209191.tif 000006
【図５】
2007209191.tif 000007
【図６】
2007209191.tif 000008
【図７】
2007209191.tif 000009
【図８】
2007209191.tif 000010
【図９】
2007209191.tif 000011
【図１０】
2007209191.tif 000012